(57)【要約】【課題】筆記具を筆記状態で使用している場合は筆記具の先端から先端が突出した筆記体は筆記具内に戻ることはないが、筆記具を横にしたときには筆記体は自動的に筆記具内に没入する筆記具を提供すること。【解決手段】ノッカー４を押し下げて筆記体２の先端を筆記具本体１の先端から突出させる筆記具Ａにおいて、上記ノッカー４を自動復帰させ筆記体２の先端を筆記具本体１内に没入させる自動復帰機構Ｂを備え、この自動復帰機構Ｂは、上記ノッカー４に係脱する係合部１２を備えた作動軸１０と、該作動軸１０の後端に設けた曲折可能なジョイント部材６と、該ジョイント部材に連結した錘部材８とを備えた。【選択図】図２
2007015239.tif 000002
【特許請求の範囲】
【請求項１】
ノッカーを押し下げて筆記体の先端を筆記具本体の先端から突出させる筆記具において、該ノッカーを自動復帰させ筆記体の先端を筆記具本体内に没入させる自動復帰機構を備えたことを特徴とする筆記具。
【請求項２】
以下の要件を備えることを特徴とする、請求項１記載の筆記具。
（イ）前記自動復帰機構は、前記ノッカーに係脱する係合部を備えた作動軸と、該作動軸の後端に設けた曲折可能なジョイント部材と、該ジョイント部材に連結した錘部材とを備えること
（ロ）前記ノッカーを押し下げて筆記体の先端を筆記具本体の先端から突出させるとき、該ノッカーは作動軸の係合部に係合し、該作動軸を押し下げるとともに、ノッカーに形成された係止片が筆記体内部の係止部に係止されること
（ハ）前記筆記体を傾けたときには、上記錘部材が傾動して上記作動軸を持ち上げ、該作動軸の係合部は上記係止部によるノッカーの係止片の係止を解除すること
【請求項３】
前記ノッカーと前記筆記体とは弾性部材で連結され、筆記体の先端に軸方向に外力を加えると、外力を加えている間は上記弾性部材が収縮し、筆記体の先端は筆記具本体内に没入する、請求項1又は２記載の筆記具。
【発明の詳細な説明】
【技術分野】
【０００１】
本発明は、筆記具、詳しくは筆記具本体の先端から突出させた筆記体の先端を自動的に没入させる筆記具に関するものである。
【背景技術】
【０００２】
従来、筆記具で複数のボールペン筆記体を備えた構造のものが提案され実用に供されている。この筆記具は、軸内のノック操作部に固定された筆記体を、軸内に設けた縦溝に沿って夫々摺動自在として、選択的にひとつの筆記体の先端を軸先端孔から突出させて係合し、夫々が突出することにより他の筆記体の係合を解除してリターンスプリ ングの作用により軸内に収納させるように構成されているものがある（例えば、特許文献１）。
【特許文献１】特開２００１−２３２９８９号公報
【発明の開示】
【発明が解決しようとする課題】
【０００３】
本発明が解決しようとする問題点は、軸の先端から突出している筆記体を引っ込めるためには、他の筆記体を突出させて他の筆記体との係合を解除する必要があり、筆記体の先端を没入させるためには意図的な操作が必要なため、年少者が筆記具を使用している際に筆記体の細い先端が筆記具の先端から突出していると思いがけない事故が起こる恐れがある点であった。
【０００４】
本発明は、上記問題点を解決し、筆記具を筆記状態で使用している場合は筆記具の先端から先端が突出した筆記体は筆記具内に戻ることはないが、筆記具を横にしたときには筆記体は自動的に筆記具内に没入する筆記具を提供することを課題とする。
【課題を解決するための手段】
【０００５】
前記課題を解決するために本発明に係る筆記具は、ノッカーを押し下げて筆記体の先端を筆記具本体の先端から突出させる筆記具において、該ノッカーを自動復帰させ筆記体の先端を筆記具本体内に没入させる自動復帰機構を備えたことを特徴とする。
【０００６】
なお、前記筆記具は、以下の要件を備えることが好ましい。
（イ）前記自動復帰機構は、前記ノッカーに係脱する係合部を備えた作動軸と、該作動軸の後端に設けた曲折可能なジョイント部材と、該ジョイント部材に連結した錘部材とを備えること
（ロ）前記ノッカーを押し下げて筆記体の先端を筆記具本体の先端から突出させるとき、該ノッカーは作動軸の係合部に係合し、該作動軸を押し下げるとともに、係止片が筆記体内部の係止部に係止されること
（ハ）前記筆記体を傾けたときには、上記錘部材が傾動して上記作動軸を持ち上げ、該作動軸の係合部は上記係止部によるノッカーの係止片の係止を解除すること
また、前記ノッカーと筆記体とは弾性部材で連結され、筆記体の先端に軸方向に外力を加えると、外力を加えている間は上記弾性部材が収縮し、筆記体の先端は筆記具本体内に没入することが好ましい。
【発明の効果】
【０００７】
請求項１の発明によれば、ノッカーを操作して筆記体の先端を筆記具本体の先端から突出させた筆記具による筆記作業を終えたり、筆記具を振り回したりする取り扱いをすると、筆記体は自動的に筆記具本体内に引き戻されるので、特別な操作をすることなく筆記体を収容することができるので、取り扱い性に優れるとともに安全性を考慮した筆記具を実現することができる。
【０００８】
請求項２の発明によれば、自動復帰機構をノッカーに係脱する係合部を備えた作動軸と、該作動軸の後端に設けた曲折可能なジョイント部材と、該ジョイント部材に連結した錘部材とで構成し、ノッカーを押し下げて筆記体の先端を筆記具本体の先端から突出させるとき、該ノッカーに形成した係止片が筆記体内部の係止部に係止されるが、前記筆記体を傾けたときには、上記錘部材が傾動して上記作動軸を持ち上げ、該作動軸の係合部は上記係止部によるノッカーの係止片の係止を解除するので、筆記具を傾けるだけで自動復帰機構が作動して筆記体を収容することができる。
【０００９】
請求項３の発明によれば、筆記体の先端に軸方向に筆圧以上の大きさの外力を加えると、その外力を加えている間は弾性部材が収縮して筆記体の先端は筆記具本体内に没入するので、安全な筆記具を提供することができる。
【発明を実施するための最良の形態】
【００１０】
図１は、本発明に係る筆記具Ａの一例を示し、この筆記具Ａは筆記具本体１の内部に異なる色(例えば、黒、赤、青、緑)の筆記体（ボールペン）２を収容し、筆記具本体１の周面に形成された開口部３から突出したノッカー４の操作部４ａを押し下げるようにしてノッカー４を押し下げることにより、そのノッカー４に対応した筆記体２が押し下げられ、筆記体２の先端が筆記具本体１の先端から突出するようにしたもので、この筆記具Ａは筆記具本体１を横に傾けるだけで自動的に筆記体２が筆記具本体１の内部に引っ込んで先端を筆記具本体１内に没入させる自動復帰機構Ｂを備えたものである（図２参照）。
【００１１】
自動復帰機構Ｂは、図３、図４に示すように、筆記具本体１の後端に取り付けられた保持筒５内に上下動可能に配置された曲折可能なジョイント部材（例えば、ボールジョイント）６と、保持筒５の上部に嵌合させた収容部７の内部に配置され、下端が上記ボールジョイント６の上部材６ａに摺動可能に連結された錘部材８と、上記保持筒５の下面に連設されたガイド筒９の内部に上下動可能に配置されるとともに、上記ボールジョイント６の下部材に６ｂに連結された作動軸１０とで構成されている。
【００１２】
上記ガイド筒９の周面には長手方向にガイド溝１１が形成され、上記作動軸１０の中間位置には係合部１２が膨出して形成されている。この係合部１２は上部に向かって先窄まりに形成されている。
【００１３】
ノッカー４は、図３、図４に示すように、上記ガイド溝１１に沿って上下動できるように背面側が肉薄に形成され、この肉薄部１３には上記作動軸１０の係合部１２に係脱する係合凹部１４が形成され、このノッカー４の両側部には係止凸部１５が突出形成されている。
【００１４】
上記係止凸部１５は、スプリング１６に抗してノッカー４を押し下げた時、係止凸部１５の上面がガイド筒９の底面に当接し、ノッカー４の押し下げを解除しても、ノッカー４は押し下げられた状態が維持されるようになっており、この状態では筆記体２の先端は、筆記具本体１の先端から突出し、筆記をすることができる状態になっている。
【００１５】
さらに、ノッカー４の底部には凹部１７が形成されこの凹部１７の内部にはスプリング１８が収容され、このスプリング１８の下端には筆記体２の上端が連結されている。このスプリング１８は筆記体２の先端に筆圧以上の外力を加えたとき、収縮して筆記体２の先端を筆記具本体１内に没入させるようにするためのものである。
【００１６】
なお、図３、図４において符号２０は、筆記体２、作動軸１０をガイドするガイド部材で、中央には作動軸１０を挿通させる挿通孔２１が形成され、挿通孔２１の外側には筆記体２を挿通させる挿通孔２２が形成されている。そして、スプリング１６はノッカー４とガイド部材２０との間に配置されている。
【００１７】
ノッカー４の係合凹部１４は、図５（ａ）に示すように、ノッカー４を押し下げる際、作動軸１０に形成された係合部１６に係合し、この作動軸１０を引き下げるように働き、ノッカー4の係止凸部１５がガイド筒９の下方に位置するまでノッカー４を押し下げると、図５（ｂ）に示すように、ノッカー４は係合凹部１４が作動軸１０の係合部１６に係合した状態で、係止凸部１５がガイド筒９の下端に当接し、ノッカー４が係止されている状態が維持されるようになっている。
【００１８】
作動軸１０が押し下げられると、作動軸１０の先端に取り付けられたボールジョイント６を介して錘部材８はスプリング１９を圧縮した状態で下動する。
【００１９】
図５（ｃ）に示すように、筆記具を横に傾けると、スプリング１９の反発と錘部材８の自重とでずれてボールジョイント６を傾けるので、作動軸１０が引っ張られ、作動軸１０の係合部１６がノッカー４の係合凹部１４から外れ、ノッカー４を外方に押し出すので、ガイド筒９の底面によるノッカー４の係止凸部１５の係止が解除されるので、ノッカー４はスプリング１６に付勢されて後退する。ノッカー４が後退すると筆記体２も後退し、筆記体２の先端は筆記具本体に没入することになる。
【００２０】
なお、ノッカー４と筆記体２とは弾性部材であるスプリング１８を介して連結され、ノッカー４を押し下げて筆記体２の先端を筆記具本体１の先端から突出した状態で、筆記具２の先端を強く押し付けたりして筆記体２の先端に外力を加えた場合、スプリング１８が外力を吸収して縮むことにより筆記体２の先端は筆記具本体１内に没入するようになっている。
【００２１】
上述したように、ノッカー４を押し下げて筆記体２の先端を筆記具本体１の先端から突出させることにより筆記を行なうことができ、筆記具本体１を横に傾けることにより自動収容機構Ｂが働いて、筆記体２を筆記具本体内に没入させることができるので、従来の筆記具のように他のノッカーを押し下げる操作をする必要がなく、簡単に筆記体を戻すことができるので、年少者が筆記具を筆記目的以外で使用しようとすると筆記体の先端が自動的に筆記具本体内に没入するので、安全な筆記具を実現することができる。
【００２２】
また、ノッカー４と筆記体２とをスプリング１８を介して連結することにより、突出させた筆記体２の先端に外力を加えた場合、外力を加えている間だけスプリング１８が縮んで筆記体２の先端が筆記具本体１内に引っ込むのでさらに安全な筆記具を実現することができる。
【図面の簡単な説明】
【００２３】
【図１】本発明に係る筆記具の一例を説明する斜視図
【図２】上記筆記具の要部縦断面図
【図３】上記筆記具の内部構造を説明する平面側分解斜視図
【図４】上記筆記具の内部構造を説明する底面側分解斜視図
【図５】（ａ）〜（ｃ）は上記筆記具の作動状態を説明する要部縦断面図
【符号の説明】
【００２４】
１    筆記具本体
２    筆記体
４    ノッカー
６    ジョイント部材
８    錘部材
１８  弾性部材（スプリング）
Ａ    筆記具
Ｂ    自動復帰機構
【図１】
2007015239.tif 000003
【図２】
2007015239.tif 000004
【図３】
2007015239.tif 000005
【図４】
2007015239.tif 000006
【図５】
2007015239.tif 000007